(57)【要約】【課題】発光ダイオードを発光させない場合において、電力効率の低下を抑制する。【解決手段】照明装置は、商用電源１０からの交流を直流に変換して出力する電源装置２０と、電源装置２０からの直流によって発光する発光装置３０とを有する。電源装置２０は、周波数変換を行って交流を出力する周波数変換部２１と、交流を直流に変換する交直流変換部２２と、発光装置３０と電気的な接続を行うための給電側コネクタ２００とを備える。また、発光装置３０は、複数の発光ダイオードを含む発光ユニット３３と、電源装置２０との電気的な接続に使用される受電側コネクタ３００とを備える。そして、給電側コネクタ２００と受電側コネクタ３００とを分離した状態では、電源装置２０の交直流変換部２２と発光部の発光ユニット３３とが電気的に分離され、電源装置２０における周波数変換部２１と交直流変換部２２とが電気的に分離される。【選択図】図１
2011198523.tif 000002
【特許請求の範囲】
【請求項１】
交流給電端に交流を出力する交流出力部と、交流受電端を介して入力された交流を直流に変換して直流給電端に出力する交直流変換部と、当該交流給電端と当該交流受電端と当該直流給電端とが設けられた電源側接続体とを備えた電源部と、
直流受電端を介して入力された直流によって発光する発光ダイオードと、前記電源部に設けられた前記電源側接続体との結合および分離が可能であって、当該電源側接続体に結合されることで当該直流受電端および当該電源側接続体に設けられた前記直流給電端を電気的に接続するとともに当該電源側接続体に設けられた前記交流給電端および前記交流受電端を電気的に接続する負荷側接続体とを備えた発光部と
を含む照明装置。
【請求項２】
前記電源部には、単数の前記交流出力部に対して複数の交直流変換部が設けられるとともに、複数の当該交直流変換部と同じ数の前記電源側接続体が設けられることを特徴とする請求項１記載の照明装置。
【請求項３】
前記交流出力部は、外部から供給される第１の周波数の交流を当該第１の周波数よりも高い第２の周波数の交流に変換することを特徴とする請求項１または２記載の照明装置。
【請求項４】
交流を給電する交流出力部と、当該交流出力部から供給される交流を直流に変換する交直流変換部と、当該交直流変換部にて変換された直流を外部に給電するための電源側接続体とを備えた電源部と、
直流の給電に伴って発光する発光ダイオードと、当該発光ダイオードに供給する直流を外部から受電するための負荷側接続体とを備えた発光部と
を含み、
前記電源側接続体と前記負荷側接続体とが分離された状態では、前記電源部における前記交直流変換部と前記発光部における前記発光ダイオードとが電気的に分離されるとともに当該電源部における前記交流出力部と当該交直流変換部とが電気的に分離され、
前記電源側接続体と前記負荷側接続体とが結合された状態では、前記電源部における前記交直流変換部と前記発光部における前記発光ダイオードとが電気的に接続されるとともに当該電源部における前記交流出力部と当該交直流変換部とが電気的に接続されること
を特徴とする照明装置。
【請求項５】
前記交直流変換部は、交流を直流に変換するためのダイオードブリッジと、当該ダイオードブリッジの後段に設けられ、当該ダイオードブリッジから出力される直流の脈動を抑制するためのコンデンサとを備えることを特徴とする請求項４記載の照明装置。
【請求項６】
前記交直流変換部は、交流を直流に変換するためのダイオードブリッジと、当該ダイオードブリッジの前段に設けられ、供給されてくる交流の電流の大きさを制限するためのインダクタとを備えることを特徴とする請求項４または５記載の照明装置。
【請求項７】
前記交直流変換部は、交流を直流に変換するためのダイオードブリッジと、当該ダイオードブリッジの前段に設けられ、供給されてくる交流から直流成分を除去するためのコンデンサとを備えることを特徴とする請求項４乃至６のいずれか１項記載の照明装置。
【請求項８】
直流受電端を介して入力された直流によって発光する発光ダイオードを備えた発光装置に、交流を変換して得た直流を給電する電源装置であって、
交流給電端に交流を出力する交流出力部と、
交流受電端を介して入力された交流を直流に変換して直流給電端に出力する交直流変換部と、
前記交流給電端と前記交流受電端と前記直流給電端とが設けられ、当該直流給電端および前記発光装置に設けられた前記直流受電端が電気的に接続されるのに伴い、当該交流給電端および当該交流受電端が前記発光装置側に設けられた接続部を介して電気的に接続されるように構成された電源側接続体と
を備えることを特徴とする電源装置。
【請求項９】
交流給電端に交流を出力する交流出力部と、交流受電端を介して入力された交流を直流に変換して直流給電端に出力する交直流変換部とを備えた電源装置から、直流を受電して発光する発光装置であって、
直流受電端を介して入力された直流によって発光する発光ダイオードと、
前記直流受電端と、当該直流受電端および前記直流給電端が電気的に接続されるのに伴って前記電源装置に設けられた前記交流給電端および前記交流受電端を電気的に接続する接続部とを備えた負荷側接続体と
を備えることを特徴とする発光装置。
【発明の詳細な説明】
【技術分野】
【０００１】
本発明は、電源装置と発光装置とを備えた照明装置、電源装置、および発光装置に関する。
【背景技術】
【０００２】
近年、電球や蛍光ランプに代えて、高効率、長寿命が期待される発光ダイオード（Light Emitting Diode）を、屋内外で使用される照明装置や、植物工場において植物に光合成を行わせるため照明装置として利用する技術が提案されている。このような発光ダイオードは、ｐｎ接合の順方向に電流が流れた際に発光し、逆方向に電流が流れた場合には発光しないという特性を有している。
【０００３】
公報記載の従来技術として、商用電源から供給される交流を直流に変換するダイオードブリッジおよびダイオードブリッジから出力される直流を出力するための差し込み口を備えたコンセントと、および、コンセントに設けられた差し込み口に差し込みおよび抜き取りが可能なプラグおよびプラグに対し向きを揃えて直列に接続された複数の発光ダイオードを備えた発光部とを含む照明装置が提案されている（特許文献１参照）。
【先行技術文献】
【特許文献】
【０００４】
【特許文献１】特開２００９−１８１９５０号公報
【発明の概要】
【発明が解決しようとする課題】
【０００５】
しかしながら、発光ダイオードを発光させる必要がないことに起因して、交流を直流に変換する交直流変換部と発光ダイオードとを電気的に分離した場合においても、交直流変換部に交流が供給され続けることになり、結果として装置全体としての電力効率が低下してしまうことがあった。
本発明は、発光ダイオードを発光させない場合において、電力効率の低下を抑制することを目的とする。
【課題を解決するための手段】
【０００６】
本発明が適用される照明装置は、交流給電端に交流を出力する交流出力部と、交流受電端を介して入力された交流を直流に変換して直流給電端に出力する交直流変換部と、交流給電端と交流受電端と直流給電端とが設けられた電源側接続体とを備えた電源部と、直流受電端を介して入力された直流によって発光する発光ダイオードと、電源部に設けられた電源側接続体との結合および分離が可能であって、電源側接続体に結合されることで直流受電端および電源側接続体に設けられた直流給電端を電気的に接続するとともに電源側接続体に設けられた交流給電端および交流受電端を電気的に接続する負荷側接続体とを備えた発光部とを含んでいる。
【０００７】
このような照明装置において、電源部には、単数の交流出力部に対して複数の交直流変換部が設けられるとともに、複数の交直流変換部と同じ数の電源側接続体が設けられることを特徴とすることができる。
また、交流出力部は、外部から供給される第１の周波数の交流を第１の周波数よりも高い第２の周波数の交流に変換することを特徴とすることができる。
【０００８】
また、他の観点から捉えると、本発明が適用される照明装置は、交流を給電する交流出力部と、交流出力部から供給される交流を直流に変換する交直流変換部と、交直流変換部にて変換された直流を外部に給電するための電源側接続体とを備えた電源部と、直流の給電に伴って発光する発光ダイオードと、発光ダイオードに供給する直流を外部から受電するための負荷側接続体とを備えた発光部とを含み、電源側接続体と負荷側接続体とが分離された状態では、電源部における交直流変換部と発光部における発光ダイオードとが電気的に分離されるとともに電源部における交流出力部と交直流変換部とが電気的に分離され、電源側接続体と負荷側接続体とが結合された状態では、電源部における交直流変換部と発光部における発光ダイオードとが電気的に接続されるとともに電源部における交流出力部と交直流変換部とが電気的に接続されることを特徴としている。
【０００９】
このような照明装置において、交直流変換部は、交流を直流に変換するためのダイオードブリッジと、ダイオードブリッジの後段に設けられ、ダイオードブリッジから出力される直流の脈動を抑制するためのコンデンサとを備えることを特徴とすることができる。
また、交直流変換部は、交流を直流に変換するためのダイオードブリッジと、ダイオードブリッジの前段に設けられ、供給されてくる交流の電流の大きさを制限するためのインダクタとを備えることを特徴とすることができる。
さらに、交直流変換部は、交流を直流に変換するためのダイオードブリッジと、ダイオードブリッジの前段に設けられ、供給されてくる交流から直流成分を除去するためのコンデンサとを備えることを特徴とすることができる。
【００１０】
さらに、他の観点から捉えると、本発明が適用される発光装置は、直流受電端を介して入力された直流によって発光する発光ダイオードを備えた発光装置に、交流を変換して得た直流を給電する電源装置であって、交流給電端に交流を出力する交流出力部と、交流受電端を介して入力された交流を直流に変換して直流給電端に出力する交直流変換部と、交流給電端と交流受電端と直流給電端とが設けられ、直流給電端および発光装置に設けられた直流受電端が電気的に接続されるのに伴い、交流給電端および交流受電端が発光装置側に設けられた接続部を介して電気的に接続されるように構成された電源側接続体とを備えることを特徴としている。
【００１１】
さらに他の観点から捉えると、本発明は、交流給電端に交流を出力する交流出力部と、交流受電端を介して入力された交流を直流に変換して直流給電端に出力する交直流変換部とを備えた電源装置から、直流を受電して発光する発光装置であって、直流受電端を介して入力された直流によって発光する発光ダイオードと、直流受電端と、直流受電端および直流給電端が電気的に接続されるのに伴って電源装置に設けられた交流給電端および交流受電端を電気的に接続する接続部とを備えた負荷側接続体とを備えることを特徴としている。
【発明の効果】
【００１２】
本発明によれば、発光ダイオードを発光させない場合において、電力効率の低下を抑制することができる。
【図面の簡単な説明】
【００１３】
【図１】本実施の形態が適用される照明装置の構成の一例を示した図である。
【図２】照明装置を構成する電源装置の構成の一例を示した図である。
【図３】照明装置を構成する発光装置の構成の一例を示した図である。
【図４】給電側コネクタおよび受電側コネクタの構成の一例を示した図である。
【図５】給電側コネクタおよび受電側コネクタを介した電源装置と発光装置との接続を模式的に示した図である。
【図６】従来の構成における、給電側コネクタおよび受電側コネクタを介した電源装置と発光装置との接続を模式的に示した図である。
【図７】照明装置を構成する電源装置の他の構成の一例を示した図である。
【図８】照明装置を構成する発光装置の他の構成の一例を示した図である。
【図９】図１に示す照明装置のシミュレーション回路の構成の一例を示した図である。
【図１０】（ａ）はシミュレーション回路における各スイッチと照明装置において対応する端子および配線との相関関係を示した図であり、（ｂ）はシミュレーション回路における４つのシミュレーション条件を示した図である。
【図１１】条件１に基づくシミュレーション結果を説明するための図である。
【図１２】条件２に基づくシミュレーション結果を説明するための図である。
【図１３】条件３に基づくシミュレーション結果を説明するための図である。
【図１４】条件４に基づくシミュレーション結果を説明するための図である。
【発明を実施するための形態】
【００１４】
以下、添付図面を参照して、本発明の実施の形態について詳細に説明する。
図１は、本実施の形態が適用される照明装置の構成の一例を示した図である。なお、図１に示す照明装置は、例えば植物を育成させるため植物工場等で用いられる。ただし、この照明装置は、一般的な屋外照明あるいは屋内照明灯にも利用可能である。
【００１５】
図１に示す照明装置は、交流電源の一例としての商用電源１０から供給される交流電力を直流電力に変換する電源装置２０と、電源装置２０から供給される直流電力によって発光する発光装置３０とを備える。なお、本実施の形態では、１台の電源装置２０に対し、複数（図１には２つのみを示す）の発光装置３０が接続されている。また、以下の説明では、必要に応じて、図１に示す各発光装置３０を、第１発光装置３０ａおよび第２発光装置３０ｂと称することがある。
【００１６】
ここで、電源部の一例としての電源装置２０は、発光装置３０への給電に用いられる複数の給電側コネクタ２００を備えており、発光部の一例としての発光装置３０は、それぞれ、電源装置２０からの受電に用いられる受電側コネクタ３００を備えている。そして、電源装置２０に設けられた複数の給電側コネクタ２００に対し、各発光装置３０に設けられた受電側コネクタ３００を接続することにより、電源装置２０と複数の発光装置３０とを電気的に接続するようになっている。さらに、給電側コネクタ２００および受電側コネクタ３００は着脱可能となっており、両者を結合することで電源装置２０と発光装置３０とを電気的に接続したり、両者を分離することで電源装置２０と発光装置３０とを電気的に切り離したりすることができるようになっている。
【００１７】
また、本実施の形態において、商用電源１０は、ＡＣ１００Ｖ（実効値）且つ周波数が第１の周波数ｆ１（日本の場合は５０Ｈｚまたは６０Ｈｚ）の電力を供給している。ただし、商用電源１０の実効値および周波数については、これらに限定されない。
【００１８】
図２は、図１に示す照明装置を構成する電源装置２０の構成の一例を示した図である。
図２に示す電源装置２０は、商用電源１０から供給される交流電力をさらに高周波の交流電力に変換する周波数変換部２１と、周波数変換部２１から供給される高周波の交流電力を直流電力に変換する複数の交直流変換部２２と、交直流変換部２２と同じ数だけ設けられた給電側コネクタ２００とを備える。なお、図２は、図１に合わせて、２つの交直流変換部２２および２つの給電側コネクタ２００を例示している。また、以下の説明では、必要に応じて、図２に示す各交直流変換部２２を、第１交直流変換部２２ａおよび第２交直流変換部２２ｂと称することがある。
【００１９】
これらのうち、交流出力部の一例としての周波数変換部２１は、商用電源１０から供給された交流電力を全波整流する電源側整流部２１ａと、電源側整流部２１ａによって全波整流された直流電力を商用電源１０の周波数よりも高周波の交流電力に変換する電力変換部２１ｂとを備える。
ここで、電源側整流部２１ａは、公知のダイオードブリッジ（以下の説明では電源側ダイオードブリッジＤＢ１と呼ぶ）で構成されている。
【００２０】
一方、電力変換部２１ｂは、公知のハーフブリッジ型インバータで構成されており、第１スイッチング素子Ｑ１および第２スイッチング素子Ｑ２と、これら第１スイッチング素子Ｑ１および第２スイッチング素子Ｑ２にそれぞれ駆動信号（スイッチング信号）を出力するハーフブリッジドライバＨＢＤとを備えている。また、第１スイッチング素子Ｑ１および第２スイッチング素子Ｑ２は、それぞれ、Ｎチャネル型パワーＭＯＳＦＥＴで構成されている。ここで、第１スイッチング素子Ｑ１および第２スイッチング素子Ｑ２の各ゲートは、ハーフブリッジドライバＨＢＤに接続されている。また、第１スイッチング素子Ｑ１のドレインは、電源側ダイオードブリッジＤＢ１の正側の出力端に接続されている。さらに、第２スイッチング素子Ｑ２のソースは、電源側ダイオードブリッジＤＢ１の負側の出力端に接続されており、ここには電源第２出力配線２１２が接続されている。そして、第１スイッチング素子Ｑ１のソースと第２スイッチング素子Ｑ２のドレインとが接続されており、ここには電源第１出力配線２１１が接続されている。そして、周波数変換部２１では、ハーフブリッジドライバＨＢＤが第２の周波数ｆ２（＞商用電源１０の第１の周波数ｆ１）で第１スイッチング素子Ｑ１および第２スイッチング素子Ｑ２を動作させることにより、電源第１出力配線２１１と電源第２出力配線２１２との間に第２の周波数ｆ２の交流電力を生じさせるようになっている。
【００２１】
なお、本実施の形態の周波数変換部２１では、電源側整流部２１ａの出力端と電力変換部２１ｂの入力端との間に平滑コンデンサを接続していない。このため、電源側整流部２１ａの出力電力が、脈流成分を含んだまま電力変換部２１ｂに入力されるようになっている。
【００２２】
また、交直流変換部２２は、公知のダイオードブリッジ（以下の説明では負荷側ダイオードブリッジＤＢ２と呼ぶ）と、負荷側ダイオードブリッジＤＢ２の２つの入力端にそれぞれ接続される第１入力配線２２１および第２入力配線２２２と、負荷側ダイオードブリッジＤＢ２の正側の出力端に接続される負荷第１出力配線２２３と、負荷側ダイオードブリッジＤＢ２の負側の出力端に接続される負荷第２出力配線２２４とを備える。また、交直流変換部２２は、第１入力配線２２１において、入力されてくる電流の直流成分を除去するための直流バイアス除去コンデンサＣ１と、直流バイアス除去コンデンサＣ１に直列に接続され、入力されてくる電流の大きさを制限するための電流制限インダクタＬ１とをさらに備える。そして、交直流変換部２２は、負荷側ダイオードブリッジＤＢ２の２つの出力端間すなわち負荷第１出力配線２２３と負荷第２出力配線２２４とに接続され、負荷側ダイオードブリッジＤＢ２にて全波整流された直流電力を平滑化するための平滑コンデンサＣ２をさらに備えている。ここで、平滑コンデンサＣ２としては、例えば電解コンデンサを用いることができる。
【００２３】
さらに、電源側接続体の一例としての給電側コネクタ２００は、交直流変換部２２に設けられた負荷第２出力配線２２４が接続される第１給電側端子２０１と、交直流変換部２２に設けられた負荷第１出力配線２２３が接続される第２給電側端子２０２と、周波数変換部２１に設けられた電源第１出力配線２１１が接続される第３給電側端子２０３と、交直流変換部２２に設けられた第１入力配線２２１が接続される第４給電側端子２０４と、周波数変換部２１に設けられた電源第２出力配線２１２が接続される第５給電側端子２０５と、交直流変換部２２に設けられた第２入力配線２２２が接続される第６給電側端子２０６とを備えている。
【００２４】
図３は、図１に示す照明装置を構成する発光装置３０の構成の一例を示した図である。なお、図３に示す発光装置３０は、図２に示す電源装置２０と組み合わせて使用される。
図３に示す発光装置３０は、各種配線が形成された基板３１と、基板３１にマトリクス状に取り付けられ、基板３１に設けられた配線と接続される複数の発光ダイオード３２を有する発光ユニット３３と、上述した受電側コネクタ３００とを備える。
【００２５】
本実施の形態において、発光ダイオード３２は、基板３１に対し、２４直列且つ３並列に合計で７２個実装されている。また、発光ダイオード３２は、赤色光を出力する構成を備えている。
【００２６】
そして、発光ユニット３３における発光ダイオード３２のアノード側端部には、基板３１に形成された正側給電線３１３が接続されている。一方、発光ユニット３３における発光ダイオード３２のカソード側端部には、基板３１に形成された負側給電線３１４が接続されている。
【００２７】
さらに、負荷側接続体の一例としての受電側コネクタ３００は、負側給電線３１４が接続される第１受電側端子３０１と、正側給電線３１３が接続される第２受電側端子３０２と、第３受電側端子３０３と、第４受電側端子３０４と、第５受電側端子３０５と、第６受電側端子３０６とを備える。そして、本実施の形態では、基板３１に形成された第１接続線３１１を介して第３受電側端子３０３と第４受電側端子３０４とが接続され、且つ、基板３１に形成された第２接続線３１２を介して第５受電側端子３０５と第６受電側端子３０６とが接続されている。
【００２８】
図４は、給電側コネクタ２００および受電側コネクタ３００の構成の一例を示した図である。また、図５は、給電側コネクタ２００および受電側コネクタ３００を介した電源装置２０と発光装置３０との接続を模式的に示した図である。
【００２９】
図４に示すように、本実施の形態の給電側コネクタ２００において、第１給電側端子２０１〜第６給電側端子２０６は、番号順に一列に並べて配置されている。そして、給電側コネクタ２００において、周波数変換部２１（図２参照）に接続される第３給電側端子２０３および第５給電側端子２０５、発光ユニット３３（図３参照）に接続される第１給電側端子２０１および第２給電側端子２０２は、それぞれ凹状のソケットインサートで構成され、他の第４給電側端子２０４、第６給電側端子２０６は、それぞれ凸状のピンインサートで構成される。
【００３０】
一方、本実施の形態の受電側コネクタ３００において、第１受電側端子３０１〜第６受電側端子３０６も、番号順に一列に並べて配置されている。そして、受電側コネクタ３００において、第１受電側端子３０１〜第３受電側端子３０３および第５受電側端子３０５は、それぞれ凸状のピンインサートで構成され、他の第４受電側端子３０４および第６受電側端子３０６は、それぞれ凹状のソケットインサートで構成される。
【００３１】
本実施の形態では、発光装置３０に設けられた発光ユニット３３を発光させる際に、電源装置２０に設けられた給電側コネクタ２００と発光装置３０に設けられた受電側コネクタ３００とを結合させる。そして、給電側コネクタ２００と受電側コネクタ３００とを結合させる際、第１給電側端子２０１および第１受電側端子３０１、第２給電側端子２０２および第２受電側端子３０２、第３給電側端子２０３および３受電側端子３０３、第４給電側端子２０４および第４受電側端子３０４、第５給電側端子２０５および第５受電側端子３０５、そして、第６給電側端子２０６および第６受電側端子３０６が、それぞれ嵌め合う。
【００３２】
その結果、図４および図５に示すように、電源装置２０に設けられた電源第１出力配線２１１と第１入力配線２２１とが、発光装置３０に設けられた第１接続線３１１を介して接続され、且つ、電源装置２０に設けられた電源第２出力配線２１２と第２入力配線２２２とが、発光装置３０に設けられた第２接続線３１２を介して接続される。そして、これとともに、電源装置２０に設けられた負荷第２出力配線２２４と発光装置３０に設けられた負側給電線３１４とが接続され、電源装置２０に設けられた負荷第１出力配線２２３と発光装置３０に設けられた正側給電線３１３とが接続される。
【００３３】
また、本実施の形態では、商用電源１０に電源装置２０を接続した状態で周波数変換部２１が動作を開始するため、電源第１出力配線２１１および電源第２出力配線２１２を介して、給電側コネクタ２００に設けられた第３給電側端子２０３と第５給電側端子２０５との間に高周波の交流電力が供給されることになる。ここで、本実施の形態では、図４に示したように、これら第３給電側端子２０３および第５給電側端子２０５を凹状のソケットインサートで構成しており、高周波の交流電力が供給された端子を外部に露出させることがないようにしている。
【００３４】
さらに、本実施の形態では、図４に示したように、給電側コネクタ２００および受電側コネクタ３００のそれぞれにおいて、ピンインサートおよびソケットインサートを混在させるとともに、ピンインサートおよびソケットインサートの配置に工夫を施すことにより、給電側コネクタ２００と受電側コネクタ３００とが、本来とは逆向きに接続されないようにしている。すなわち、給電側コネクタ２００の第１給電側端子２０１に受電側コネクタ３００の第６受電側端子３０６が接続され、且つ、給電側コネクタ２００の第６給電側端子２０６に受電側コネクタ３００の第１受電側端子３０１が接続されるという事態が発生しないようにしている。これにより、本実施の形態では、給電側コネクタ２００と受電側コネクタ３００との誤接続に起因する不具合の発生を回避できるようにしている。
【００３５】
なお、本実施の形態では、第３給電側端子２０３および第５給電側端子２０５によって交流給電端が、第４給電側端子２０４および第６給電側端子２０６によって交流受電端が、そして第１給電側端子２０１および第２給電側端子２０２によって直流給電端が、それぞれ構成されている。また、本実施の形態では、第１受電側端子３０１および第２受電側端子３０２によって直流受電端が構成されている。さらに、本実施の形態では、第３受電側端子３０３、第１接続線３１１および第４受電側端子３０４と、第５受電側端子３０５、第２接続線３１２および第６受電側端子３０６とによって、接続部が構成されている。
【００３６】
ここで、本実施の形態では、給電側コネクタ２００および受電側コネクタ３００のそれぞれにおいて、一部のピンインサートを外部に露出させる構成としていたが、ピンインサートについては、外部に露出させないように例えばカバー等で覆うことが、安全性の観点から好ましい。また、本実施の形態では、給電側コネクタ２００および受電側コネクタ３００のそれぞれにおいて、ピンインサートとソケットインサートとを混在させる構成としていたが、一方のコネクタ（例えば給電側コネクタ２００）にはピンインサートのみを設けるとともに、他方のコネクタ（例えば受電側コネクタ３００）にはピンソケットのみを設けることが、汎用のコネクタを使用できる観点から好ましい。なお、これらの要求を満たす汎用のコネクタとしては、例えば日本圧着端子製造株式会社のＨＬシリーズ等が挙げられる。また、このＨＬシリーズのコネクタでは、上述した誤接続も防止できるようになっている。
【００３７】
では、図１に示す照明装置の動作を、図１〜図５を参照しながら説明する。
商用電源１０から周波数変換部２１に供給された第１の周波数ｆ１の交流電力は、電源側整流部２１ａ（電源側ダイオードブリッジＤＢ１）において全波整流された後、電力変換部２１ｂで第２の周波数ｆ２の高周波の交流電力に変換される。この高周波の交流電力は、一端側が電源第１出力配線２１１、第３給電側端子２０３、第３受電側端子３０３、第１接続線３１１、第４受電側端子３０４、第２給電側端子２０４および第１入力配線２２１を介して、また、他端側が電源第２出力配線２１２、第５給電側端子２０５、第５受電側端子３０５、第２接続線３１２、第６受電側端子３０６、第６給電側端子２０６および第２入力配線２２２を介して、交直流変換部２２に供給される。
【００３８】
第１入力配線２２１および第２入力配線２２２を介して交直流変換部２２に入力された高周波の交流電力は、直流バイアス除去コンデンサＣ１にて直流成分が除去され、且つ、電流制限インダクタＬ１によって電流の大きさが制限された状態で、負荷側ダイオードブリッジＤＢ２によって全波整流される。そして、負荷側ダイオードブリッジＤＢ２で全波整流されることによって得られた直流電力は、平滑コンデンサＣ２によって脈動分の平滑化がなされる。その後、脈動分の平滑化がなされた直流電力は、正側が負荷第１出力配線２２３、第２給電側端子２０２、第２受電側端子３０２および正側給電線３１３を介して、また、負側が負側第２出力配線２２４、第１給電側端子２０１、第１受電側端子３０１および負側給電線３１４を介して、発光装置３０に供給される。
【００３９】
正側給電線３１３および負側給電線３１４を介して発光装置３０に供給された直流電力は、複数の発光ダイオード３２に対しアノードからカソードに順方向に電流を流すように働く。その結果、各発光ダイオード３２は赤色光を出力する。そして、発光ユニット３３から出力される光は、例えば野菜や果物等の植物（図示せず）に照射され、植物において光合成に利用されることとなる。
【００４０】
このように、本実施の形態の照明装置では、１台の電源装置２０に対し複数個の発光装置３０を取り付けることができる。また、１台の電源装置２０に設けられた複数の交直流変換部２２のすべてに発光装置３０を取り付ける必要はなく、例えば第１交直流変換部２２ａには第１発光装置３０ａを接続することで発光を行わせる一方、第２交直流変換部２２ｂには第２発光装置３０ｂを接続しないことで発光を行わせないようにすることも可能である。
【００４１】
ここで、本実施の形態では、発光装置３０に設けられた発光ユニット３３を発光させる必要がない場合には、電源装置２０に設けられた給電側コネクタ２００から、この発光装置３０に設けられた受電側コネクタ３００を取り外すようにする。これにより、電源装置２０に設けられた交直流変換部２２と発光装置３０に設けられた発光ユニット３３との電気的な接続が解除される。また、本実施の形態では、これだけでなく、電源装置２０に設けられた周波数変換部２１と交直流変換部２２との電気的な接続も解除される。したがって、給電側コネクタ２００と受電側コネクタ３００との結合を解除することに伴い、電源装置２０に設けられた交直流変換部２２から発光装置３０に設けられた発光ユニット３３への給電が行われなくなるのに加え、電源装置２０に設けられた周波数変換部２１から発光装置３０との接続が解除された交直流変換部２２への給電も行われなくなる。
【００４２】
一方、発光装置３０に設けられた発光ユニット３３を発光させる必要がある場合には、電源装置２０に設けられた給電側コネクタ２００に、発光装置３０に設けられた受電側コネクタ３００を取り付けるようにする。これにより、電源装置２０に設けられた交直流変換部２２と発光装置３０に設けられた発光ユニット３３との電気的な接続がなされる。また、本実施の形態では、これだけではなく、電源装置２０に設けられた周波数変換部２１と交直流変換部２２との電気的な接続もなされる。したがって、給電側コネクタ２００と受電側コネクタ３００とを結合することに伴い、電源装置２０に設けられた周波数変換部２１から発光装置３０との接続がなされた交直流変換部２２への給電が行われるようになるのに加え、電源装置２０に設けられた交直流変換部２２から発光装置３０に設けられた発光ユニット３３への給電も行われるようになる。
【００４３】
このように、本実施の形態では、給電側コネクタ２００および受電側コネクタ３００が、発光装置３０の点灯／消灯を設定するためのスイッチとして機能しているとともに、電源装置２０に設けられた各交直流変換部２２への給電／非給電を設定するためのスイッチとしても機能している。
【００４４】
ここで、図６は、従来の構成における、給電側コネクタ２００および受電側コネクタ３００を介した電源装置２０と発光装置３０との接続を模式的に示した図である。図６に示す構成においては、給電側コネクタ２００には第１給電側端子２０１および第２給電側端子２０２のみが、また、受電側コネクタ３００には第１受電側端子３０１および第２受電側端子３０２のみが、それぞれ設けられている。また、周波数変換部２１に設けられた電源第１出力配線２１１および交直流変換部２２に設けられた第１入力配線２２１、そして、周波数変換部２１に設けられた電源第２出力配線２１２および交直流変換部２２に設けられた第２入力配線２２２が、それぞれ予め接続された状態となっている。なお、図６に示す周波数変換部２１および交直流変換部２２の構成は、それぞれ図２に示したものと同じであり、また、図６に示す発光ユニット３３の構成は、図３に示したものと同じであるものとする。
【００４５】
図６に示す構成では、給電側コネクタ２００と受電側コネクタ３００とが結合されているか否か、すなわち、交直流変換部２２と発光ユニット３３とが電気的に接続されているか否かに関わらず、周波数変換部２１から交直流変換部２２に対し、高周波の交流電力が常時供給されることになる。また、交直流変換部２２では、交流電力の供給によって交流電流が流れるのに伴い、図２に示す負荷側ダイオードブリッジＤＢ２の正側の出力端から平滑コンデンサＣ２を介して負荷側ダイオードブリッジＤＢ２の負側の出力端に向かう直流電流が流れる。そして、この直流電流は、平滑コンデンサＣ２に電荷を蓄積させる要因となる。
【００４６】
つまり、図６に示す構成を採用した場合には、交直流変換部２２に発光ユニット３３を接続していないにも関わらず、交直流変換部２２内に交流電流が流れてしまうことになる。また、このときに流れる交流電流は、このときに発生している交流電圧との位相差が大きくなりやすいために、結果として電源装置２０の力率を低下させてしまう。
【００４７】
さらに、図６に示す構成を採用した場合には、交直流変換部２２に発光ユニット３３を接続していない状態において、交直流変換部２２に設けられた平滑コンデンサＣ２（図２参照）に徐々に電荷が蓄積され、充電されていくことになる。そして、平滑コンデンサＣ２が充電された状態で、給電側コネクタ２００と受電側コネクタ３００とを接続すると、発光ユニット３３を構成する各発光ダイオード３２（図３参照）と、電荷が蓄積された平滑コンデンサＣ２とによって閉ループが形成されることに伴い、平滑コンデンサＣ２から発光ユニット３３に向かう急峻な電荷の移動すなわち突入電流が発生する。そして、このような突入電流が発光ダイオード３２に流れた場合は、突入電流が発光ダイオード３２の順方向電流であるにも関わらず、発光ダイオード３２に不具合が生じる懸念がある。
【００４８】
これに対し、本実施の形態の構成を採用した場合には、図５等からも明らかなように、電源装置２０に設けられた給電側コネクタ２００と発光装置３０に設けられた受電側コネクタ３００とを切り離した際に、電源装置２０を構成する周波数変換部２１および交直流変換部２２も電気的に切り離されることになる。すなわち、給電側コネクタ２００と受電側コネクタ３００との接続を解除することで、周波数変換部２１から交直流変換部２２への高周波の交流電力の供給がなされなくなる。
【００４９】
このため、電源装置２０において、発光装置３０の発光ユニット３３が接続されていない交直流変換部２２には、交流電流が流れなくなる。したがって、電源装置２０における力率の低下を抑制することが可能となる。
【００５０】
また、発光装置３０の発光ユニット３３が接続されていない交直流変換部２２に交流電流が流れなくなることから、この交直流変換部２２に設けられた平滑コンデンサＣ２（図２参照）が充電されなくなる。その結果、電源装置２０に設けられた給電側コネクタ２００に発光装置３０に設けられた受電側コネクタ３００を接続した際に、平滑コンデンサＣ２に蓄積された電荷に起因して、発光ユニット３３を構成する発光ダイオード３２（図３参照）に突入電流が流れる、といった事態を回避することが可能になる。
【００５１】
なお、上述した例では、給電側コネクタ２００および受電側コネクタ３００を、周波数変換部２１および交直流変換部２２の両切りスイッチとして機能させるようにしていたが、これに限られない。
【００５２】
また、図７は、図１に示す照明装置を構成する電源装置２０の他の構成の一例を示した図である。一方、図８は、図１に示す照明装置を構成する発光装置３０の他の構成の一例を示している。なお、図８に示す発光装置３０は、図７に示す電源装置２０と組み合わせて使用される。
【００５３】
ここで、図７に示す電源装置２０の基本構成は、図２に示したものとほぼ同じであるが、給電側コネクタ２００が第１給電側端子２０１〜第４給電側端子２０４のみを備えており、第５給電側端子２０５および第６給電側端子２０６を備えていない点が異なる。また、図７に示す電源装置２０は、上述した構成を採用するのに伴い、周波数変換部２１に設けられた電源第２出力配線２１２と交直流変換部２２に設けられた第２入力配線２２２とを直接接続している点においても、図２に示したものとは異なる。
【００５４】
図８に示す発光装置３０の基本構成は、図３に示したものとほぼ同じであるが、受電側コネクタ３００が第１受電側端子３０１〜第４受電側端子３０４のみを備えており、第５受電側端子３０５および第６受電側端子３０６を備えていない点が異なる。また、図８に示す発光装置３０は、上述した構成を採用するのに伴い、第２接続線３１２を備えていない点においても、図３に示したものとは異なる。
【００５５】
そして、図７および図８に示した例は、給電側コネクタ２００および受電側コネクタ３００を、周波数変換部２１および交直流変換部２２の片切りスイッチとして機能させるようにしたものである。
【００５６】
図７および図８に示した構成を採用した場合においても、図２および図３に示した構成と同様に、電源装置２０を構成する複数の交直流変換部２２の一部に発光ユニット３３（発光装置３０）を接続しない場合における力率の低下、および、電源装置２０を構成する交直流変換部２２に発光ユニット３３（発光装置３０）を電気的に接続した際の突入電流の発生を抑制することができる。
【００５７】
では次に、上述した構成を採用した理由について説明する。ただし、上述した構成により、突入電流の発生を抑制できることは明白であるから、ここでは、力率の低下を抑制することのできる理由について、シミュレーションを行った結果に基づいて説明する。
【００５８】
図９は、図１に示す照明装置のシミュレーション回路の構成の一例を示した図である。なお、図９において、図１と同じ構成要素については、同じ符号を付してその詳細な説明を省略する。また、図９では、第１交直流変換部２２ａの各構成要素を、それぞれ、直流バイアス除去コンデンサＣ１ａ、電流制限インダクタＬ１ａ、負荷側ダイオードブリッジＤＢ２ａ、そして平滑コンデンサＣ２ａとして示している。さらに、図９では、第２交直流変換部２２ｂの各構成要素を、それぞれ、直流バイアス除去コンデンサＣ１ｂ、電流制限インダクタＬ１ｂ、負荷側ダイオードブリッジＤＢ２ｂ、そして平滑コンデンサＣ２ｂとして示している。
【００５９】
図９に示すシミュレーション回路においては、周波数変換部２１として、電源側整流部２１ａと電力変換部２１ｂとを組み合わせたものではなく、一般的な高周波交流電源を用いた。なお、この例では、周波数変換部２１が、±７０Ｖ、周波数１００ｋＨｚの交流電力を出力するものとした。そして、この例では、直流バイアス除去コンデンサＣ１（Ｃ１ａ、Ｃ１ｂ）の容量を１μＦ、負荷側インダクタＬ１（Ｌ１ａ、Ｌ１ｂ）のインダクタンスを１ｍＨ、そして平滑コンデンサＣ２（Ｃ２ａ、Ｃ２ｂ）の容量を１０μＦとした。
【００６０】
また、周波数変換部２１の出力の一端側と第１交直流変換部２２ａの直流バイアス除去コンデンサＣ１ａ側の入力端との間に、第１入力一端側スイッチＳＷ１１ａを配置した。さらに、周波数変換部２１の出力の他端側と第１交直流変換部２２ａの他の入力端との間に、第１入力他端側スイッチＳＷ１２ａを配置した。
【００６１】
さらにまた、第１交直流変換部２２ａの正側の出力端と第１発光装置３０ａに設けられた第１発光ユニット３３ａのアノード側端部との間に、第１出力正側スイッチＳＷ２１ａを配置した。そして、第１交直流変換部２２ａの負側の出力端と第１発光ユニット３３ａのカソード側端部との間に、第１出力負側スイッチＳＷ２２ａを配置した。
【００６２】
一方、周波数変換部２１の出力の一端側と第２交直流変換部２２ｂの直流バイアス除去コンデンサＣ１ｂ側の入力端との間に、第２入力一端側スイッチＳＷ１１ｂを配置した。また、周波数変換部２１の出力の他端側と第２交直流変換部２２ｂの他の入力端との間に、第２入力他端側スイッチＳＷ１２ｂを配置した。
【００６３】
さらに、第２交直流変換部２２ｂの正側の出力端と第２発光装置３０ｂに設けられた第２発光ユニット３３ｂのアノード側端部との間に、第２出力正側スイッチＳＷ２１ｂを配置した。そして、第２交直流変換部２２ｂの負側の出力端と第２発光ユニット３３ｂのカソード側端部との間に、第２出力負側スイッチＳＷ２２ｂを配置した。
【００６４】
次に、第１入力一端側スイッチＳＷ１１ａおよび第１入力他端側スイッチＳＷ１２ａよりも周波数変換部２１側において、周波数変換部２１と並列に電圧計を配置して電源電圧Ｖ０を測定した。そして、周波数変換部２１の出力の他端側と第１入力他端側スイッチＳＷ１２ａとに、直列に電流計を配置して電源電流Ａ０を測定した。
【００６５】
また、第１交直流変換部２２ａにおいて、負荷側ダイオードブリッジＤＢ２ａの負側の出力端と平滑コンデンサＣ２ａの負側の接続端とに、直列に電流計を配置して第１総負荷電流Ａ１ａを測定した。さらに、平滑コンデンサＣ２ａの負側の接続端と第１出力負側スイッチＳＷ２２ａとに、直列に電流計を配置して第１発光負荷電流Ａ２ａを測定した。さらにまた、負荷側ダイオードブリッジＤＢ２ａの各出力端と第１出力正側スイッチＳＷ２１ａおよび第１出力負側スイッチＳＷ２２ａとの間に、並列に電圧計を配置して第１出力電圧Ｖ１ａを測定した。
【００６６】
一方、第２交直流変換部２２ｂにおいて、負荷側ダイオードブリッジＤＢ２ｂの負荷側の出力端と平滑コンデンサＣ２ｂの負側の接続端とに、直列に電流計を配置して第２総負荷電流Ａ１ｂを測定した。また、平滑コンデンサＣ２ｂの負側の接続端と第２出力負側スイッチＳＷ２２ｂとに、直列に電流計を配置して第２発光負荷電流Ａ２ｂを測定した。さらに、負荷側ダイオードブリッジＤＢ２ｂの各出力端と第２出力正側スイッチＳＷ２１ｂおよび第２出力負側スイッチＳＷ２２ｂとの間に、並列に電圧計を配置して第２出力電圧Ｖ１ｂを測定した。
【００６７】
ここで、図１０（ａ）は、図９に示すシミュレーション回路における各スイッチと照明装置において対応する端子および配線との相関関係を示した図である。
図１０（ａ）に示したように、第１入力一端側スイッチＳＷ１１ａおよび第２入力一端側スイッチＳＷ１１ｂは、第３給電側端子２０３、第３受電側端子３０３、第１接続線３１１、第４受電側端子３０４および第４給電側端子２０４による接続部位に対応している。また、第１入力他端側スイッチＳＷ１２ａおよび第２入力他端側スイッチＳＷ１２ｂは、第５給電側端子２０５、第５受電側端子３０５、第２接続線３１２、第６受電側端子３０６および第６給電側端子２０６による接続部位に対応している。さらに、第１出力正側スイッチＳＷ２１ａおよび第２出力正側スイッチＳＷ２１ｂは、第２給電側端子２０２および第２受電側端子３０２による接続部位に対応している。そして、第１出力負側スイッチＳＷ２２ａおよび第２出力負側スイッチＳＷ２２ｂは、第１給電側端子２０１および第１受電側端子３０１による接続部位に対応している。
【００６８】
また、図１０（ｂ）は、図９に示すシミュレーション回路における４つのシミュレーション条件（条件１〜条件４）を示した図である。なお、ここでは、電源装置２０に設けられた２つの交直流変換部２２（第１交直流変換部２２ａおよび第２交直流変換部２２ｂ）に、発光装置３０に設けられた発光ユニット３３（第１発光ユニット３３ａおよび第２発光ユニット３３ｂ）をそれぞれ対応させて配置する場合を前提とした。また、ここでは、時刻ｔ＝０において、発光させようとする発光ユニット３３に接続された２つのスイッチ（第１出力正側スイッチＳＷ２１ａおよび第１出力負側スイッチＳＷ２２ａ、あるいは、第２出力正側スイッチＳＷ２１ｂおよび第２出力負側スイッチＳＷ２２ｂ）が、ＯＦＦからＯＮに変更されるものとした。
【００６９】
図１０（ｂ）に示す条件１は、ｔ＝０より前の状態では、８つのスイッチがすべてＯＦＦに設定される。また、条件１において、ｔ＝０以後は、８つのスイッチがすべてＯＮに変更される。
【００７０】
条件１は、図２に示す電源装置２０および図３に示す発光装置３０を用い、且つ、第１発光ユニット３３ａ（第１発光装置３０ａ）および第２発光ユニット３３ｂ（第２発光装置３０ｂ）を同時に発光させる場合に対応している。
【００７１】
図１０（ｂ）に示す条件２は、ｔ＝０より前の状態では、８つのスイッチがすべてＯＦＦに設定される。また、条件２において、ｔ＝０以後は、第１交直流変換部２２ａ側の４つのスイッチ（第１入力一端側スイッチＳＷ１１ａ、第１入力他端側スイッチＳＷ１２ａ、第１出力正側スイッチＳＷ２１ａ、第１出力負側スイッチＳＷ２２ａ）がすべてＯＮに変更される一方、第２交直流変換部２２ｂ側の４つのスイッチ（第２入力一端側スイッチＳＷ１１ｂ、第２入力他端側スイッチＳＷ１２ｂ、第２出力正側スイッチＳＷ２１ｂ、第２出力負側スイッチＳＷ２２ｂ）はすべてＯＦＦに維持される。
【００７２】
条件２は、図２に示す電源装置２０および図３に示す発光装置３０を用い、且つ、第１発光ユニット３３ａ（第１発光装置３０ａ）を発光させる一方で第２発光ユニット３３ｂ（第２発光装置３０ｂ）を発光させない場合に対応している。
【００７３】
図１０（ｂ）に示す条件３は、ｔ＝０より前の状態では、８つのスイッチがすべてＯＦＦに設定される。また、条件３において、ｔ＝０以後は、第１交直流変換部２２ａ側の４つのスイッチ（第１入力一端側スイッチＳＷ１１ａ、第１入力他端側スイッチＳＷ１２ａ、第１出力正側スイッチＳＷ２１ａ、第１出力負側スイッチＳＷ２２ａ）のすべてと、第２交直流変換部側２２ｂの第２入力一端側スイッチＳＷ１１ｂおよび第２入力他端側スイッチＳＷ１２ｂとがＯＮに変更される一方、第２交直流変換部側２２ｂの第２出力正側スイッチＳＷ２１ｂおよび第２出力負側スイッチＳＷ２２ｂがＯＦＦに維持される。
【００７４】
条件３は、条件２と同様に、図２に示す電源装置２０および図３に示す発光装置３０を用い、且つ、第１発光ユニット３３ａ（第１発光装置３０ａ）を発光させる一方で第２発光ユニット３３ｂ（第２発光装置３０ｂ）を発光させない場合に対応している。ただし、条件３が条件２と異なる点は、ｔ＝０以後に第２入力一端側スイッチＳＷ１１ｂおよび第２入力他端側スイッチＳＷ１２ｂがＯＮに設定されていることである。これにより、条件３は、図６に示した従来の構成に対応するものとなっている。
【００７５】
図１０（ｂ）に示す条件４は、ｔ＝０より前の状態では、８つのスイッチのうち、第１入力一端側スイッチＳＷ１１ａ、第１出力正側スイッチＳＷ２１ａ、第１出力負側スイッチＳＷ２２ａ、第２入力一端側スイッチＳＷ１１ｂ、第２出力正側スイッチＳＷ２１ｂおよび第２出力負側スイッチＳＷ２２ｂがＯＦＦに設定される一方、第１入力他端側スイッチＳＷ１２ａおよび第２入力他端側スイッチＳＷ１２ｂがＯＮに設定される。また、条件４において、ｔ＝０以後は、第１入力他端側スイッチＳＷ１２ａおよび第２入力他端側スイッチＳＷ１２ｂがＯＮに維持されるのに加え、第１入力一端側スイッチＳＷ１１ａ、第１出力正側スイッチＳＷ２１ａ、第１出力負側スイッチＳＷ２２ａがＯＮに変更される。
【００７６】
条件４は、条件２と同様に、図２に示す電源装置２０および図３に示す発光装置３０を用い、且つ、第１発光ユニット３３ａ（第１発光装置３０ａ）を発光させる一方で第２発光ユニット３３ｂ（第２発光装置３０ｂ）を発光させない場合に対応している。ただし、条件４が条件２と異なる点は、ｔ＝０よりも前に第１入力他端側スイッチＳＷ１２ａおよび第２入力他端側スイッチＳＷ１２ｂがＯＮに設定されていることである。これにより、条件４は、図７に示す電源装置２０および図８に示す発光装置３０を用いて照明装置を構成したものに対応するものとなっている。
【００７７】
では続いて、各条件におけるシミュレーション結果について説明を行う。
図１１は条件１に基づくシミュレーション結果を、図１２は条件２に基づくシミュレーション結果を、図１３は条件３に基づくシミュレーション結果を、そして図１４は条件４に基づくシミュレーション結果を、それぞれ示した図である。図１１〜図１４において、横軸は時間ｔである。また、図１１〜図１４には、時間ｔに対応する、周波数変換部２１における電源電圧Ｖ０および電源電流Ａ０と、第１交直流変換部２２ａにおける第１総負荷電流Ａ１ａ、第１発光負荷電流Ａ２ａおよび第１出力電圧Ｖ１ａと、第２交直流変換部２２ｂにおける第２総負荷電流Ａ１ｂ、第２発光負荷電流Ａ２ｂおよび第２出力電圧Ｖ１ｂとを示している。なお、図１１〜図１４において、電流の単位はｍＡであり、電圧の単位はＶである。
【００７８】
例えば図１１に示すように、条件１では、ｔ＝０において周波数変換部２１から第１交直流変換部２２ａおよび第２交直流変換部２２ｂへの給電が開始される。また、条件１では、ｔ＝０において第１交直流変換部２２ａから第１発光ユニット３３ａへの給電および第２交直流変換部２２ｂから第２発光ユニット３３ｂへの給電も開始される。
【００７９】
すると、第１交直流変換部２２ａでは、第１総負荷電流Ａ１ａとして＋２００ｍＡの電流が流れる。また、第１交直流変換部２２ａでは、ｔ＝０からほぼｔ＝２．５ｍｓｅｃとなるまでの期間は、負荷側ダイオードブリッジＤＢ２ａから平滑コンデンサＣ２ａへと充電電流が流れるために、負荷側ダイオードブリッジＤＢ２ａから第１発光ユニット３３ａに流れる第１発光負荷電流Ａ２ａはほぼ０であるが、それ以降は＋９０ｍＡまで増加して安定する。また、ｔ＝０から平滑コンデンサＣ２ａへの充電が開始されるのに伴い、第１出力電圧Ｖ１ａは徐々に増加し、ほぼｔ＝２．５ｍｓｅｃにおいて＋２０Ｖで安定する。
【００８０】
一方、第２交直流変換部２２ｂでも、第２総負荷電流Ａ１ｂとして＋２００ｍＡの電流が流れる。また、第２交直流変換部２２ｂでは、ｔ＝０からほぼｔ＝２．５ｍｓｅｃとなるまでの期間は、負荷側ダイオードブリッジＤＢ２ｂから平滑コンデンサＣ２ｂへと充電電流が流れるために、負荷側ダイオードブリッジＤＢ２ｂから第２発光ユニット３３ｂに流れる第２発光負荷電流Ａ２ｂはほぼ０であるが、それ以降は＋９０ｍＡまで増加して安定する。また、ｔ＝０から平滑コンデンサＣ２ｂへの充電が開始されるのに伴い、第２出力電圧Ｖ１ｂは徐々に増加し、ほぼｔ＝２．５ｍｓｅｃにおいて＋２０Ｖで安定する。
【００８１】
その結果、条件１において、周波数変換部２１から供給される電源電流Ａ０は、±４００ｍＡとなる。
【００８２】
また、例えば図１２に示すように、条件２では、ｔ＝０において周波数変換部２１から第１交直流変換部２２ａへの給電が開始される一方、周波数変換部２１から第２交直流変換部２２ｂへの給電は開始されないままとなる。また、条件２では、ｔ＝０において第１交直流変換部２２ａから第１発光ユニット３３ａへの給電が開始される一方、第２交直流変換部２２ｂから第２発光ユニット３３ｂへの給電も開始されないままとなる。
【００８３】
すると、第１交直流変換部２２ａでは、第１総負荷電流Ａ１ａとして＋２００ｍＡの電流が流れる。また、第１交直流変換部２２ａでは、ｔ＝０からほぼｔ＝２．５ｍｓｅｃとなるまでの期間は、負荷側ダイオードブリッジＤＢ２ａから平滑コンデンサＣ２ａへと充電電流が流れるために、負荷側ダイオードブリッジＤＢ２ａから第１発光ユニット３３ａに流れる第１発光負荷電流Ａ２ａはほぼ０であるが、それ以降は＋９０ｍＡまで増加して安定する。また、ｔ＝０から平滑コンデンサＣ２ａへの充電が開始されるのに伴い、第１出力電圧Ｖ１ａは徐々に増加し、ほぼｔ＝２．５ｍｓｅｃにおいて＋２０Ｖで安定する。
【００８４】
一方、第２交直流変換部２２ｂでは、周波数変換部２１からの電力供給が行われないために、第２総負荷電流Ａ１ｂおよび第２発光負荷電流Ａ２ｂは０ｍＡのままとなる。また、平滑コンデンサＣ２ｂが充電されることもないため、第２出力電圧Ｖ１ｂも０Ｖのままとなる。
【００８５】
その結果、条件２において、周波数変換部２１から供給される電源電流Ａ０は、条件１の半分である±２００ｍＡとなる。
【００８６】
さらに、例えば図１３に示すように、条件３では、ｔ＝０において周波数変換部２１から第１交直流変換部２２ａおよび第２交直流変換部２２ｂへの給電が開始される。ただし、条件３では、ｔ＝０において第１交直流変換部２２ａから第１発光ユニット３３ａへの給電が開始される一方、第２交直流変換部２２ｂから第２発光ユニット３３ｂへの給電は開始されないままとなる。
【００８７】
すると、第１交直流変換部２２ａでは、第１総負荷電流Ａ１ａとして＋２００ｍＡの電流が流れる。また、第１交直流変換部２２ａでは、ｔ＝０からほぼｔ＝２．５ｓｅｃとなるまでの期間は、負荷側ダイオードブリッジＤＢ２ａから平滑コンデンサＣ２ａへと充電電流が流れるために、負荷側ダイオードブリッジＤＢ２ａから第１発光ユニット３３ａに流れる第１発光負荷電流Ａ２ａはほぼ０であるが、それ以降は＋９０ｍＡまで増加して安定する。また、ｔ＝０から平滑コンデンサＣ２ａへの充電が開始されるのに伴い、第１出力電圧Ｖ１ａは徐々に増加し、ほぼｔ＝２．５において＋２０Ｖで安定する。
【００８８】
一方、第２交直流変換部２２ｂでも、第２発光ユニット３３ｂが接続されていないにも関わらず、第２総負荷電流Ａ１ｂとして＋２００ｍＡの電流が流れる。また、第２交直流変換部２２ｂでは、第２発光ユニット３３ｂが接続されていないために第２発光負荷電流Ａ２ｂは０のままとなるが、負荷側ダイオードブリッジＤＢ２ｂから出力される直流電流によって平滑コンデンサＣ２ｂが充電され続けることになる。その結果、第２出力電圧Ｖ１ｂは、例えばｔ＝１０ｍｓｅｃにおいて＋８０Ｖ程度まで上昇する。
【００８９】
その結果、条件３において、周波数変換部２１から供給される電源電流Ａ０は、接続される発光ユニット３３の数が条件１の半分であるにも関わらず、条件１と同じ±４００ｍＡとなる。
【００９０】
最後に、例えば図１４に示すように、条件４では、ｔ＝０において周波数変換部２１から第１交直流変換部２２ａへの給電が開始される一方、周波数変換部２１から第２交直流変換部２２ｂへの給電は開始されないままとなる。また、条件４では、ｔ＝０において第１交直流変換部２２ａから第１発光ユニット３３ａへの給電が開始される一方、第２交直流変換部２２ｂから第２発光ユニット３３ｂへの給電も開始されないままとなる。
【００９１】
すると、第１交直流変換部２２ａでは、第１総負荷電流Ａ１ａとして＋２００ｍＡの電流が流れる。また、第１交直流変換部２２ａでは、ｔ＝０からほぼｔ＝２．５ｍｓｅｃとなるまでの期間は、負荷側ダイオードブリッジＤＢ２ａから平滑コンデンサＣ２ａへと充電電流が流れるために、負荷側ダイオードブリッジＤＢ２ａから第１発光ユニット３３ａに流れる第１発光負荷電流Ａ２ａはほぼ０であるが、それ以降は＋９０ｍＡまで増加して安定する。また、ｔ＝０から平滑コンデンサＣ２ａへの充電が開始されるのに伴い、第１出力電圧Ｖ１ａは徐々に増加し、ほぼｔ＝２．５ｍｓｅｃにおいて＋２０Ｖで安定する。
【００９２】
一方、第２交直流変換部２２ｂでは、周波数変換部２１からの電力供給が行われないために、第２総負荷電流Ａ１ｂおよび第２発光負荷電流Ａ２ｂは０ｍＡのままとなる。また、平滑コンデンサＣ２ｂが充電されることもないため、第２出力電圧Ｖ１ｂも０Ｖのままとなる。
【００９３】
その結果、条件４において、周波数変換部２１から供給される電源電流Ａ０は、条件２と同様、条件１の半分である±２００ｍＡとなる。
【００９４】
なお、図１では、電源装置２０に給電側コネクタ２００を直付けし、且つ、発光装置３０に受電側コネクタ３００を直付けした構成を例示したが、これに限られるものではなく、例えば電源装置２０と給電側コネクタ２００とを、可とう性を有するケーブルで接続するようにしてもよい。なお、この場合には、電源装置２０と給電側コネクタ２００とが、ケーブル内の配線を介して電気的に接続されることになる。また、例えば発光装置３０と受電側コネクタ３００とを、可とう性を有するケーブルで接続するようにしてもよい。なお、この場合には、発光装置３０と受電側コネクタ３００とが、ケーブル内の配線を介して電気的に接続されることになる。
【００９５】
また、本実施の形態では、商用電源１０から供給される第１の周波数ｆ１の交流電力を、電源装置２０に設けられた周波数変換部２１で、さらに高周波となる高い第２の周波数ｆ２に変換した後に交直流変換部２２に供給するようにしていたが、これに限られない。すなわち、商用電源１０自体を交流出力部として機能させ、第１の周波数ｆ１の交流電力をそのまま交直流変換部２２に供給するようにしてもかまわない。
【００９６】
さらに、本実施の形態では、給電側コネクタ２００と受電側コネクタ３００との結合および切り離しによって、電源装置２０における周波数変換部２１と交直流変換部２２との接続、および、電源装置２０における交直流変換部２２と発光装置３０における発光ユニット３３との接続を一括して行わせるようにしていたが、これに限られるものではない。すなわち、例えば周波数変換部２１と交直流変換部２２との間にスイッチを設けるとともに、交直流変換部２２と発光ユニット３３との間に他のスイッチを設けるようにし、リレー等を用いることで、これらスイッチおよび他のスイッチを連動させて共にオン／オフさせるような構成を採用してもかまわない。
【符号の説明】
【００９７】
１０…商用電源、２０…電源装置、２１…周波数変換部、２１ａ…電源側整流部、２１ｂ…電力変換部、２２…交直流変換部、３０…発光装置、３１…基板、３２…発光ダイオード、３３…発光ユニット、２００…給電側コネクタ、２０１…第１給電側端子、２０２…第２給電側端子、２０３…第３給電側端子、２０４…第４給電側端子、２０５…第５給電側端子、２０６…第６給電側端子、２１１…電源第１出力配線、２１２…電源第２出力配線、２２１…第１入力配線、２２２…第２入力配線、２２３…負荷第１出力配線、２２４…負荷第２出力配線、３００…受電側コネクタ、３０１…第１受電側端子、３０２…第２受電側端子、３０３…第３受電側端子、３０４…第４受電側端子、３０５…第５受電側端子、３０６…第６受電側端子、３１１…第１接続線、３１２…第２接続線、３１３…正側給電線、３１４…負側給電線
【図１】
2011198523.tif 000003
【図２】
2011198523.tif 000004
【図３】
2011198523.tif 000005
【図４】
2011198523.tif 000006
【図５】
2011198523.tif 000007
【図６】
2011198523.tif 000008
【図７】
2011198523.tif 000009
【図８】
2011198523.tif 000010
【図９】
2011198523.tif 000011
【図１０】
2011198523.tif 000012
【図１１】
2011198523.tif 000013
【図１２】
2011198523.tif 000014
【図１３】
2011198523.tif 000015
【図１４】
2011198523.tif 000016